(57)【要約】本発明は、複数のプラス側ダイオード（６６）のための支持体（５０）（５１）（５１’）と、本回転電気機器の後方ベアリングの一部を形成する、複数のマイナス側ダイオードのための支持体と、整流装置を通過するように回転電気機器の軸方向に冷却流体の強制的な流れを形成することによって冷却するための装置とを備え、プラス側ダイオードのための支持体が、回転電気機器の軸線に向いた正面に冷却フィンを支持し、前記プラス側支持装置（６６）が、少なくとも１つの成形部品（５０）（５１）（５１’）として製造されており、この成形部品の上記軸に向く面が、多数の微細な冷却フィン（６０）を支持している。本発明は、自動車用オルタネータ内で使用できる。
2005509389.tif 000002
【特許請求の範囲】
【請求項１】
全体として細長いプレート状をした、複数のプラス側ダイオードのための支持体と、回転電気機器の後方ベアリングの一部を形成するプレート状をした、複数のマイナス側ダイオードのための支持体と、ダイオードコネクタと、整流装置を通過するように回転電気機器の軸方向に冷却流体、例えば空気の強制的な流れを形成することによって冷却するための装置とを備え、前記プラス側ダイオード用支持体とマイナス側ダイオード用支持体とコネクタとが、回転電気機器の軸方向に重ね合わされており、プラス側ダイオードのための支持体が、回転電気機器の軸線に向く正面に冷却フィンを支持するプラス側ラジエータを形成し、前記冷却フィンが、軸方向の流れ内で、回転電気機器の径方向に延びているタイプの回転電気機器の整流装置において、
前記プラス側ラジエータ装置が、少なくとも１つの成形部品（５０）（５１）（５１’）として製造されており、この成形部品の上記軸に向く面が、多数の微細な冷却フィン（６０）を支持しており、これらフィンにより、熱交換用表面積が広くされていることを特徴とする整流装置。
【請求項２】
プラス側ダイオード支持装置を備え、該支持装置が、回転電気機器の軸線のまわりにおいて、周方向に整合したプレート状の２つのダイオード支持部品を備える、請求項１記載の装置において、
前記支持装置が、３つの固定手段（３）（５４）（５４’）（８４）（８５）により、後方ベアリング（６８）に固定されており、このうちの１つの固定手段が、２つの部品（５１）の接合領域（５４）（５４’）（８４）内に設けられていることを特徴とする、請求項１記載の装置。
【請求項３】
２つのプラス側ダイオード支持部品の各々が、別個の支持プレートによって形成されており、これら支持部品が、Ｖ字形に配置されており、かつ各端部において、後方ベアリングに固定された、請求項２記載の装置において、前記２つのプレートのうちの隣接する固定手段（５４）が、共通であることを特徴とする、請求項２記載の装置。
【請求項４】
２つの支持プレート（５１）（５１’）が、それらの隣接する端部に固定ラグ（５４）を有し、かつ固定部材のための通過孔（５５）が、前記ラグを貫通しており、組み立てられた状態では、ラグの通過孔（５５）が軸方向に整合するように、２つの固定ラグ（５４）が重ね合わされていることを特徴とする、請求項３記載の装置。
【請求項５】
各固定ラグ（５４）の高さが、支持プレートの高さと較べて低くなっており、好ましくはプレートの高さの半分となっていることを特徴とする、請求項４記載の装置。
【請求項６】
プラス側ダイオード用の２つの支持部品が、Ｖ字形の単一成形部品（５０）として製造されていることを特徴とする、請求項２記載の装置。
【請求項７】
プラス側ダイオード用の２つの支持部品が、円弧状の単一成形部品（５０）として製造されていることを特徴とする、請求項２記載の装置。
【請求項８】
冷却フィン（６０）が、２つの支持部品によって形成された装置の中間領域において、ほぼ径方向に延びるように、回転電気機器の軸線に向く冷却フィン（６０）の向きが定められていることを特徴とする、請求項２記載の装置。
【請求項９】
フィン（６０）の径方向の長さが、プラス側ダイオード（６６）のための支持体用の部品の長さにわたって変化しており、もって２つの部品によって形成される装置の中間領域における前方エッジが、回転電気機器の軸線と同軸状の円のうちの弧の上に位置していることを特徴とする、請求項８記載の装置。
【請求項１０】
プラス側ダイオードの支持装置（５０）の中間領域において、冷却フィン（６０）が、ほぼ規則的に分散されていることを特徴とする、請求項８記載の装置。
【請求項１１】
プラス側ダイオードの支持装置（５０）（５１）のうちの、回転電気機器の軸線に平行な背面（６２）に、プラス側ダイオード（６６）が位置していることを特徴とする、請求項１記載の装置。
【請求項１２】
各プラス側ダイオードの支持部品（６６）が、回転電気機器の軸線と平行な背面（６２）に、小さい壁（６５）（７３）（７５）（８０）を支持しており、前記小さい壁が、背面（６６）から垂直に突出し、プラス側ダイオード（６６）を位置決めするための支持体として働くようになっていることを特徴とする、請求項２記載の装置。
【請求項１３】
前記小さい壁（６５）が、プラス側ダイオード（６６）のための支持部品（５１）（５１’）の後方壁（６２）の中間に配置されていることを特徴とする、請求項１２記載の装置。
【請求項１４】
前記小さい壁（７３）（７５）が、プラス側ダイオード（６６）のための支持部品（５１）（５１’）の背面（６２）の軸方向端部に配置されていることを特徴とする、請求項１２記載の装置。
【請求項１５】
後方ベアリング（６８）の一部を形成する支持体（６７）内に位置するプラス側ダイオード（６６）とマイナス側ダイオード（６９）とが、反対の配置、または並列に取り付けられていることを特徴とする、請求項１２記載の装置。
【請求項１６】
前記プラス側ダイオードの支持装置が、微細なラジアル冷却フィン（６０）を支持するプレート状となっており、前記フィンが、プラス側ダイオード（６６）の近くのポイントまで後方部品として延びていることを特徴とする、請求項２記載の装置。
【請求項１７】
前記冷却フィン（６０）が、２つの隣接するプラス側ダイオード（６６）の間の領域内で延びていることを特徴とする、請求項１６記載の装置。
【発明の詳細な説明】
【０００１】
（発明の分野）
本発明は、全体として細長いプレート状をした、複数のプラス側ダイオードのための支持体と、回転電気機器の後方ベアリングの一部を形成するプレート状をした、複数のマイナス側ダイオードのための支持体と、ダイオードコネクタと、整流装置を通過するように、回転電気機器の軸方向に冷却流体、例えば空気の強制的な流れを形成することによって冷却するための装置とを備え、前記プラス側ダイオード用支持体とマイナス側ダイオード用支持体とコネクタとが、回転電気機器の軸方向に重ね合わされており、プラス側ダイオードのための支持体が、回転電気機器の軸線に向く正面に、冷却フィンを支持するプラス側ラジエータを形成し、前記冷却フィンが、軸方向の流れ内において、回転電気機器の径方向に延びているタイプの回転電気機器の整流装置に関するものである。
【０００２】
前記支持体は、後方ベアリングが、アースに接続されているように金属製である。このこのベアリングには、孔が開けられており、前方ベアリング（このベアリングも孔が開けられている）と共に回転電気機器のステータを支持するケーシングを形成している。前方ベアリングおよび後方ベアリングは、回転電気機器のロータを支持するシャフトを回転自在に取り付けるボールベアリングを中心に支持している。
【０００３】
（技術状態）
自動車内の種々の電流消費部品に電流を供給するよう、回転電気機器のステータの誘導された交流をＤＣ電流に変換できるこのタイプの整流装置は、本願出願人によるフランス国特許公開第2,687,861号から既に知られている。
【０００４】
図１および図２は、この整流装置を示している。図１は、Ｖ字形状に配置された、符号２２が付いたマイナス側ダイオードのための２つの支持プレートを、符号１６で示している。各マイナス側のプレートは、凸角を有する円形セクター状となっており、この凸角の内周部２０には、開口部１４の外周部からリセスが設けられている。
【０００５】
開口部１４は、本回転電気機器の後方ベアリング１０内に設けられており、この開口部は、開口部１４の近くで回転電気機器内部に取り付けられたファンにより発生される軸方向の冷却空気流を通過させるようになっている。
【０００６】
公知のように、このファンは、回転電気機器のロータに固定されており、マイナス側ダイオード２２が、それらの支持プレートの頂部壁に、機械的かつ電気的に接触した状態で配置されている。
【０００７】
図１および図２は、プラス側ダイオード３４のための２つの支持体１８をも示しており、各支持体は、ほぼ開口部１４の方を向くアルミニウムを押し出し成形した異形部分によって形成されている。
【０００８】
ラジエータの機能を満たすこれらの異形部分は、後方ベアリング１０には機械的または電気的にも接触せず、それらの冷却は、対流のみによって行われている。すなわち、オルタネータのロータに回転自在に固定されたファンにより、公知の態様で発生され、開口部１４を通過した空気流の流れによって、冷却が行われている。
【０００９】
各ラジエータ１８には、マイナス側プレート１６が連動している。このプレート１６は、これに連動するマイナス側プレートの平らな頂面と直交する平坦な後部壁３２を備えている。開口部１４の外周部に位置するこの面３２には、プラス側ダイオード３４が取り付けられている。
【００１０】
回転電気機器の軸線Ｘに向いた正面には、冷却フィン４０が設けられている。このフィン４０は、冷却用空気流内で放射状に延びており、対流による冷却を受ける。マイナス側プレート１６およびプラス側ラジエータ１８によって形成された各アセンブリの２つの端部は、タイロッドまたはネジ３８、３９により後方プレート１０に固定されており、２つのラジエータは、接続バーによって接続されている。
【００１１】
上に簡単に説明した整流装置は、嵩ばること、および支持体の構造、およびダイオードの配置によって、冷却能力を高めることができず、そのため、この公知の整流装置は、より大きいパワーのオルタネータに適合できないという欠点を有する。
【００１２】
（発明の目的）
本発明の目的は、公知の整流装置のこの欠点を緩和することにある。
【００１３】
この目的を達成するために、本発明に係わる整流装置では、前記プラス側ラジエータ装置が、少なくとも１つの成形部品として製造されており、この成形部品の上記軸に向く面が、多数の微細な冷却フィンを支持しており、これらのフィンが、熱交換用表面積を広くしていることを特徴とする。
【００１４】
本発明の別の特徴によれば、プラス側ダイオード支持装置を備え、該支持装置が、回転電気機器の軸線のまわりにおいて、周方向に整合したプレート状の２つのダイオード支持部品を備えている本発明に係わる装置は、前記支持装置が、３つの固定手段により後方ベアリングに固定されており、このうちの１つの固定手段が、２つの部品の接合領域内に設けられている。
【００１５】
本発明の更に別の特徴によれば、２つのプラス側ダイオード支持部品は、別個の支持プレートによって形成されており、これら支持部品は、Ｖ字形に配置されており、各端部において、後方ベアリングに固定された、本発明に係わる装置は、前記２つのプレートのうちの隣接する固定手段が共通している。
【００１６】
本発明に更に別の特徴によれば、この装置は、２つの支持プレートが、それらの隣接する端部に固定ラグを有し、かつ固定部材のための通過孔が前記ラグを貫通しており、組み立てられた状態では、ラグの通過孔が軸方向に整合するように、２つの固定ラグが重ね合わされている。
【００１７】
本発明の更に別の特徴によれば、本装置は、各固定ラグの高さが支持プレートの高さと比較して低くなっており、好ましくはプレートの高さの半分となっている。
【００１８】
本発明の更に別の特徴によれば、本装置のプラス側ダイオード用の２つの支持部品は、Ｖ字形の単一成形部品として製造されている。
【００１９】
本発明の更に別の特徴によれば、本装置のプラス側ダイオード用の２つの支持部品は、円弧状の単一成形部品として製造されている。
【００２０】
本発明の更に別の特徴によれば、本装置の冷却フィンが２つの支持部品によって形成された装置の中間領域において、ほぼ径方向に延びるように、回転電気機器の軸線に向く冷却フィンの向きが定められている。
【００２１】
本発明の更に別の特徴によれば、本装置は、フィンの径方向長さがプラス側ダイオードのための支持体用の部品の長さにわたって変化しており、よって、２つの部品により形成される装置の中間領域における前方エッジが、回転電気機器の軸線と同軸状の円のうちの弧の上に位置している。
【００２２】
単なる一例として、本発明のいくつかの実施例を示す添付図面を参照し、次の詳細な説明を読めば、本発明について更に良好に理解でき、本発明の上記以外の特徴、詳細、および利点が明らかとなると思う。
【００２３】
（本発明の実施例の説明）
図４は、全体を５０で示した本発明に係わるプラス側ラジエータ装置の第１実施例を示す。このラジエータ装置は、図３に示したのと同じ構造の２つの成形されたプラス側ラジエータ５１、５１’を組み立てて形成されている。
【００２４】
全体として直線状の細長い形状となっている各ラジエータ５１、５１’は、両端に、回転電気機器の後方ベアリングに固定するためのラグ５３、５４を有する。このラグは、電気絶縁スリーブ（図示せず）が介在された状態で、固定部材、例えばネジまたはタイロッドを通過させるための孔５５を有する。
【００２５】
２つのラジエータ５１、５１’の接合部と同じ側に位置する固定ラグ５４は、図示の例では、ラジエータの本体の高さの半分に対応する高さを有する円筒状となっている。ラジエータの反対の端部に位置する固定ラグ５３は、固定部材５５を通過させるための孔、すなわち、整流器のＢ+出力ターミナルを受けるための孔５７を有する。本例では、これらのラジエータは同一である。
【００２６】
ラジエータが成形された部品である場合、これらの部品は、多数の微細な冷却フィン５０を表面に有するような構造となっており、冷却フィンは、これらフィンの間で冷却流体が流れることができるように、回転電気機器の径方向に延びている。
【００２７】
２つのラジエータ５１と５１’とを一体となるように接続することによって得られるアセンブリ５０を示す図４から判るように、フィン６０の径方向の長さは、フィンの前方エッジによって形成されるラインが、ラジエータ５１、５１’の接合領域で１つの円のうちの弧に近似するように、ラジエータの長手方向に異なっている。
【００２８】
図４は、ほぼ円筒形の固定ラグ５４を重ねることによって、ラジエータの接続を行うことも示している。ラジエータの平らな背面６２から、これらのラグが突出しているとした場合、２つのラジエータ５１、５１’の隣接する外側フィンの間の分離距離を相当に短くすることができる。換言すれば、微細冷却フィン６０によって、２つのラジエータが形成するアセンブリの正面のほぼ全面をカバーできる。
【００２９】
各ラジエータの本体は、回転電気機器の軸方向に見た頂部面、および底部面にリブ６４を有し、各リブは、フィン６０の直線上にあることが理解できると思う。
【００３０】
各ラジエータの平らな背面６２は、３つのプラス側ダイオード６６を支持しており、これらのダイオードは、鑞付けによってラジエータに固定されている。図３および図４には示されないマイナス側ダイオードが、回転電気機器の軸線に平行に延びている。従って、プラス側ダイオードとマイナス側ダイオードとは、互いに直角になっている。
【００３１】
図３および図４に示されたプラス側ラジエータの実施例に関するこれまでの説明から、このラジエータは、フィンが極めて微細でるという特徴のために、多数のフィンを有し、ラジエータを極めて効果的に冷却できることが明らかである。
【００３２】
２つのラジエータの固定ラグが重ね合わされているとした場合、図４に示すアセンブリは、その中間点に１つの固定位置しか有しないので、これによって、例として図１に示された２つの標準プラス側ラジエータを接続するバーを省略することが可能である。
【００３３】
接続バー、従って固定位置を省略することによって、２つのラジエータの接合高さで有効なスペースを獲得できる。これにより、２つの中心のプラス側ダイオードを接近させ、後方ベアリングのマイナス側ダイオードを最大に分離できる。別の利点は、２つのラジエータを同じにできるということである。
【００３４】
次に、図５〜図１０を参照して、プラス側ラジエータの別の実施例について説明する。これらの実施例は、プラス側ラジエータとマイナス側ラジエータとを逆配置または並列配置に、嵌合または鑞付けすることによって、互いに平行に取り付けられているという点で共通している。ここで、マイナス側ダイオードのための支持体は金属製であり、以下、マイナス側放熱器と呼ぶ。
【００３５】
図５Ａ〜図５Ｃは、対称的な構造を特徴とするラジエータの一実施例を示す。図３および図４に示された実施例と比較して、この実施例において、５１で示されているプラス側ラジエータの特徴は、平らな背面６２が、中間に小さい壁６５を支持しており、この壁６５が、この背面６２に垂直なラジエータを中間部で突出させているという点にある。
【００３６】
プラス側ダイオード６６が鑞付けされる小さい壁の底面は、６７で示されたマイナス側放熱器に向いており、回転電気機器の後方ベアリング６８に固定されるように押圧されている。放熱器の頂部面には、マイナス側ダイオード６９が鑞付けされている。
【００３７】
これらプラス側ダイオード６６とマイナス側ダイオード６９とは、逆向きに設けられている。コネクタは６０で示されており、ダイオード接続タング７１が簡潔になっているという点で異なっている。
【００３８】
これらの図は、ダイオードの各ペア内のプラス側ダイオードとマイナス側ダイオードとが、径方向および円周方向の双方に、オフセットしていることを示している。
【００３９】
図６Ａ〜図６Ｃは、変形例を示す。この変形例では、各ラジエータの背面６２に小さい壁７３が設けられている。この壁は、ラジエータの頂部に配置され、垂直に突出している。従って、このラジエータは、非対称の構造となっている。
【００４０】
小さい壁７３と、マイナス側放熱器６７の開口する面に、プラス側ダイオード６６とマイナス側ダイオード６９とが対向する配置に鑞付けされている。これらのダイオードは、同じ垂直平面に位置している。この変形例では、ダイオードは互いに離間している。
【００４１】
図７Ａ〜図７Ｃは、ダイオードの通過位置を位置決めする小さい壁７５が、ラジエータの底部エッジに設けられていることを特徴としている。この小さい壁７５には、プラス側ダイオード６６が取り付けられており、これらプラス側のテールは、上方に延びている。後方ベアリング６８内には、マイナス側ダイオード６９が取り付けられており、これらダイオードのテールも、上方に向いている。
【００４２】
図７Ａおよび図７Ｃに示すように、各ペアのプラス側ダイオード、およびマイナス側ダイオードの位置は、径方向かつ円周方向にオフセットしている。コネクタ７０は、７６で示されたダイオードの接続が簡潔になっているということを特徴としている。
【００４３】
図８Ａ〜図８Ｃは、図７Ａ〜図７Ｃに示された実施例の変形例を示す。この変形例は、後方ベアリング６８に押圧された放熱器６７に、マイナス側ダイオードが取り付けられているということを特徴としている。コネクタ７０は、図７Ａ〜図７Ｃに示された構造と同じ簡単な構造となっている。
【００４４】
図９および図１０は、構造を変えた２つの変形例を示している。この変形例では、２つのラジエータを組み立てて製造する代わりに、ラジエータ装置は、一体成形された部品状として製造されている。
【００４５】
図９に示す変形例では、ラジエータ装置は、図４の場合のように、３つの固定手段を備えるＶ字構造となっている。Ｖ字の端部に位置する固定ラグは、図３および図４のラグ５３に対応しているので、同じ符号が付いている。ラジエータ装置の全高にわたって延びるＶ字形の頂点での中央固定部は５４’で示されている。
【００４６】
図３および図４に示した実施例と同じように、固定ラグは、前に６２で示した背面に対して後方にオフセットしている。外側固定ラグ５３と中心固定ラグ５４’との間において、Ｖ字形の各アームにおいて小さい壁８０が延びている。この小さい壁８０は、背面６２から突出し、プラス側ダイオード６６を位置決めするための支持体として働く。プラス側ダイオード６６は、マイナス側ダイオードと平行に延びている。
【００４７】
前記と同じように、６０の付いた微細冷却フィンの実施例に関し、これらのフィンは、図４の実施例と同じ構造となっている。しかし、ラジエータ装置は一体的に製造されるので、中心領域において不連続部を有することなく、構造が完全にレギュラーであるという利点を有する。
【００４８】
図１０に示すラジエータ装置の変形実施例は、装置が変形構造となっているという特徴を有する。この場合、ラジエータ装置のうちの８２で示された本体は、円のうちの円弧状をしたセグメントの全体構造を有するプレートとして製造されており、円弧の上には、６個のプラス側ダイオード６６が設けられている。
【００４９】
回転電気機器の後方ベアリングに対するラジエータ装置の固定部は、電気絶縁材料を介在させながら、上記ネジまたはタイロッドを貫通させるための孔を有する要素として製造されている。８４で示されたこれら要素のうちの２つは、ダイオードが設けられた面を越えて延びる突起を構成している。
【００５０】
これらの要素８４は、円筒形状であり、それぞれ、一端部および中間部に近いプレート８２の外周部に位置している。他方、要素８５は、プレートの他端部をカバーする突起を構成している。要素８５は、整流装置の出力端のＢ+ターミナルを位置決めするように働き、ダイオードが設けられている面を越えて延びている。
【００５１】
前記ターミナルは、自動車のバッテリーのプラス側ターミナルに接続されるようになっている。要素８５によって形成されるこの端部では、固定要素としても働く突起８７が、プレート８２を構成する円のうちの弧状をしたセグメントの端面に関連している。
【００５２】
プラス側ラジエータのプレート８２の径方向内側面から、ラジアル冷却フィン６０が延びている。これらのフィン６０は、９０にてダイオードの方向にラジエータプレート８２の頂部面および底部面の一部を越えるように延びている。
【００５３】
５個または６個のプラス側ダイオード６６の正面で、フィン６０の各ペアの間において、プレート８２の径方向内側エッジに、突起９１も設けられている。ラグ８７が設けられている端部と反対側のプレートの端部の近くに、ダイオード６６が配置されている。このダイオードと次のダイオードとの間に固定要素８４が配置されている。
【００５４】
第３ダイオードと第４ダイオードとの間において、プレートの周辺中心部分に、第２固定要素８４が配置されていることが理解できると思う。
【００５５】
プレートの頂部面の上のフィン部分９０は、第２、第３および第４ダイオードの高さまで延び、かつこれらダイオードの近くの領域まで延びていることも理解できると思う。
【００５６】
第６ダイオードは、Ｂ+ターミナル用の固定突起８５の面に設けられている。ラジエータプレート８２の外側エッジは、各ダイオードにおいて、最大幅の面積を有するように波形とされていることにも、留意するべきである。
【００５７】
図１１および図１２に関し、図１１Ａおよび図１１Ｂは、プレートの小さい壁とすることができる支持体９４内に、９３で示されたダイオードを嵌合することによる位置決めを示している。
【００５８】
図１１Ａでは、この支持体に嵌合ボア９５が設けられ、このボアには、図１１Ｂに示されるように、ダイオードが嵌合される。ダイオードの本体には、ローレットをつけることが望ましい。
【００５９】
図１２Ａは、支持体９４内に製造されるダイオードが嵌合されるカップ９６を示している。このカップ内には、図１２Ｂに従って、ダイオード９３が鑞付けにより位置決めされる。
【００６０】
図１３は、本発明に係わるラジエータ装置の変形実施例を示す。このラジエータ装置は、図１０のラジエータに類似しているが、ラジエータの径方向内側エッジに沿って延びる小さい壁９８として突起９１が製造されている。
【００６１】
エッジおよび壁は、プラス側ダイオードが嵌合されるボア９９のできるだけ近くに波形の外観を呈している点で異なっている。小さい壁の後方エッジからは、フィン６０が延びており、小さい壁９８およびフィン６０は、２つの隣接する位置決めボア９９の間の領域内に延びている。これによって、ブリッジ式整流器の熱効率は高められている。
【００６２】
図１４は、全体として１２個のダイオードを有するブリッジを示す。このブリッジの構造における、本発明の有利な特徴について検討する。
【００６３】
３つの点１０３において、孔開けされた後方ベアリング１０２には、５０で示されたプラス側ラジエータが固定されている。後方ベアリングに直接、または変形例では、支持体から延びる小さいコラム１０５内に、マイナス側ダイオードが嵌合されている。
【００６４】
プラス側ダイオード（図１４では、これらダイオードのテールだけが、１０７で示されている）の回転角方向の配置に適合されたフィン６０の配置および構造によって、プラス側ラジエータが最適にされている。
【００６５】
短い方の２つのフィン６０は、プラス側ダイオードの前方のポイントまで延びており、２つのフィン６０は、２つのダイオードの間に位置する領域内で深く延びている。従って、各ダイオードは、正面および２つの側面において、フィンによりフレームが構成されている。
【００６６】
プラス側ダイオードとマイナス側ダイオードとは、図７および図８に示されるように接続されていることにも留意すべきである。
【００６７】
本発明のいくつかの実施例に関するこれまでの説明から明らかなように、特に１２ダイオード式ブリッジに適した、本発明が提案するプラス側ラジエータ装置はモールド成形により製造される。この製造方法は、熱交換表面積を広くし、ダイオードの冷却を最適にする多数の微細冷却フィンと共に、必要な形状にできるという利点を有する。こうして製造されたラジエータ装置は、６個の出力端と並列な２つの巻線を有する三相オルタネータおよび６つの出力端を有する六相オルタネータに対して有利に使用できる。
【００６８】
このプラス側ラジエータ装置は、モールド成形により製造しているので、全体のサイズを縮小しながら、最大数のフィンを設けることにより、対流による冷却を行っている。また固定ポイントの数が、４つから３つに少なくなっており、かつ現在まで使用されている２つの別個のプラス側ラジエータ用の接続バーが省略できるので、後方ベアリング上のマイナス側ダイオードを、現在よりも更に離間できる。更に、本発明により、ダイオードの接続するタングを簡略化することが可能となっている。
【００６９】
図１４では、コネクタ７０が有する導電性トラックを示すために、コネクタ７０の頂部部分は切り欠かれている。前記トラックは、ある部分、例えばステータの位相出力用固定ラグ１７０およびラグ７６と同じタイプの接続タングの部分を除き、プラス側ダイオードのテール１０７と共に、コネクタの電気絶縁材料内に埋め込まれている。
【００７０】
オルタネータが有するステータの位相巻線の出力に関して、更に情報を望む場合には、例えば２００１年４月５日に出願されたフランス国特許願第01 04770号を参照されたい。
【００７１】
後方ベアリングは、前方ベアリングと共にケーシングを形成し、このケーシングの内部に、オルタネータのステータの本体が固定されている。このケーシングは、ボールベアリングにより前方ベアリングおよび後方ベアリング上で回転できるように取り付けられたシャフトに固定されている。
【００７２】
ロータのシャフトは、ロータの励磁巻線の端部に接続された集電リングを後端部に有する。これらのリングは、図１４において１８０がつけられたブラシホルダー内に装着されたブラシと協働するようになっている。
【００７３】
空気を排出し、後方ベアリングの隣接する孔を通して、フィンの間に空気を循環させ、空気をステータ巻線上の後方引き出しワイヤーに向けて送るよう、後方ベアリングに隣接するロータのシャフトにファンが取り付けられている。空気は、後方ベアリングの側部開口部１９０を再び通過して出る。
【００７４】
当然ながら、整流装置をカバーするように保護キャップが設けられ、このキャップは、後方ベアリングに固定されている。中空のこのキャップは、フィンにて、すなわちその底部に孔が開けられ、後方ファンによって排出された空気を通過させるようになっている。
【００７５】
コネクタ７０は、断面が環状となっており、プラス側ダイオード上を延びている。このコネクタの内周部の境界は、外周部の形状が丸くなっているフィン７０の外周部によって定められている。
【００７６】
図１３に示すように、プラス側ラジエータは、マイナス側ダイオードの底部を通過させるためのスカラップを外周部に有する。図１４についても、同じことが当てはまる。従って、コネクタ７０は、環状になり、金属製のプラス側ラジエータのプレートをカバーしている。
【００７７】
変形例では、後方ベアリングに直接マイナス側ダイオードが固定されている。上記キャップは、マイナス側ダイオードの換気のために、マイナス側ダイオードを開口レベルに設けることが好ましい。これらの開口部は、キャップの軸方向に向いた環状エッジに製造される。キャップの底部には、フィンと対向する開口部が設けられる。
【００７８】
図５Ａ〜図８Ａにおいて、電気絶縁材料製のコネクタ７０の一部は、略図で長方形に示されている。図１４では、ブラシホルダー１８０の近くに、電圧レギュレータが設けられている。
【００７９】
保護キャップにも開口部が設けられ、この開口部は、マイナス側ダイオード上の支持体が、対流および熱伝導により冷却されるよう、マイナス側ダイオード用のスカートにおいて、円筒形スカート内に形成されている。
【００８０】
このことは、特に、ラジエータ５１がキャップの底部を通過する空気によって冷却される、図５〜図１０に示された実施例に対して特に好ましい。
【図面の簡単な説明】
【図１】
オルタネータの後方ベアリングに取り付けられた、現在の技術水準における整流装置の平面図である。
【図２】
後方ベアリングが設けられていない、図１に示した装置の一部を示す。
【図３】
本発明の第１実施例に係わる整流装置のプラス側ラジエータ装置を製造するために組み立てる前の、同じ構造を有する２つのプラス側ラジエータの斜視図である。
【図４】
組み立て後の図１に示された２つのプラス側ラジエータの斜視図である。
【図５Ａ】
プラス側ラジエータ装置の別の実施例を示す、整流デバイスのラジアル平面内の部分断面図である。
【図５Ｂ】
図５Ａにおける矢印ＶＢの方向に見た一部切り欠き図である。
【図５Ｃ】
図５Ａ内の矢印ＶＣの方向に見た図でらう。
【図６Ａ】
本発明に係わるプラス側ラジエータの変形例の、図５Ａに類似する図である。
【図６Ｂ】
本発明に係わるプラス側ラジエータの変形例の、図５Ｂに類似する図である。
【図６Ｃ】
本発明に係わるプラス側ラジエータの変形例の、図５Ｃに類似する図である。
【図７Ａ】
本発明に係わるプラス側ラジエータの更に別の変形例の、図５Ａに類似する図である。
【図７Ｂ】
本発明に係わるプラス側ラジエータの更に別の変形例の、図５Ｂに類似する図である。
【図７Ｃ】
本発明に係わるプラス側ラジエータの更に別の変形例の、図５Ｃに類似する図である。
【図８Ａ】
本発明に係わるプラス側ラジエータの更に別の変形例の、図７Ａに類似する図である。
【図８Ｂ】
本発明に係わるプラス側ラジエータの更に別の変形例の、図７Ｂに類似する図である。
【図８Ｃ】
本発明に係わるプラス側ラジエータの更に別の変形例の、図７Ｃに類似する図である。
【図９】
一体成形部品として製造された、本発明に係わる製造装置のうちのプラス側ラジエータ装置の一実施例の斜視図である。
【図１０】
別の一体成形部品として製造された、本発明に係わる製造装置のうちのプラス側ラジエータ装置の更に別の実施例である。
【図１１Ａ】
本発明に係わる成形されたラジエータに嵌合することによるダイオードの位置決めを示す。
【図１１Ｂ】
本発明に係わる成形されたラジエータに嵌合することによるダイオードの位置決めを示す。
【図１２Ａ】
本発明に係わる整流装置のラジエータに鑞付けすることによるダイオードの位置決めを示す。
【図１２Ｂ】
本発明に係わる整流装置されたラジエータに鑞付けすることによるダイオードの位置決めを示す。
【図１３】
本発明に係わる整流装置のうちのプラス側ラジエータ装置の更に別の実施例の斜視図である。
【図１４】
図１３に示されたプラス側ラジエータの実施例の別の変形例が設けられた１２個のダイオードのブリッジの斜視図である。
【符号の説明】
５０    プラス側ラジエータ装置
５１、５１’    ラジエータ
５３、５４    ラグ
５５、５７    孔
６０    冷却フィン
６２    背面
６６    プラス側ダイオード
６７    マイナス側放熱器
６８    後方ベアリング
６９    マイナス側ダイオード
７０    コネクタ
７３    小さい壁
７５    小さい壁
８０    小さい壁
８２    プレート
８４、８５    要素
８７    突起
９１    突起
９３    ダイオード
９４    支持体
９６    カップ
９８    小さい壁
９９    ボア
１０５    コラム
１０７    テール
１７０    固定ラグ
１８０    ブラシホルダー
【図１】
2005509389.tif 000003
【図２】
2005509389.tif 000004
【図３】
2005509389.tif 000005
【図４】
2005509389.tif 000006
【図５Ａ】
2005509389.tif 000007
【図５Ｂ】
2005509389.tif 000008
【図５Ｃ】
2005509389.tif 000009
【図６Ａ】
2005509389.tif 000010
【図６Ｂ】
2005509389.tif 000011
【図６Ｃ】
2005509389.tif 000012
【図７Ａ】
2005509389.tif 000013
【図７Ｂ】
2005509389.tif 000014
【図７Ｃ】
2005509389.tif 000015
【図８Ａ】
2005509389.tif 000016
【図８Ｂ】
2005509389.tif 000017
【図８Ｃ】
2005509389.tif 000018
【図９】
2005509389.tif 000019
【図１０】
2005509389.tif 000020
【図１１Ａ】
2005509389.tif 000021
【図１１Ｂ】
2005509389.tif 000022
【図１２Ａ】
2005509389.tif 000023
【図１２Ｂ】
2005509389.tif 000024
【図１３】
2005509389.tif 000025
【図１４】
2005509389.tif 000026
【国際調査報告】
2005509389.tif 000027
2005509389.tif 000028
2005509389.tif 000029
2005509389.tif 000030
2005509389.tif 000031
2005509389.tif 000032